(57)【要約】      （修正有）【課題】長尺体の被覆の剥ぎ取りを容易に行うことができる長尺体の被覆剥ぎ取り治具を提供する。【解決手段】被覆を有する長尺体（ケーブル）の外周に対向して配置される一対の挟持板７と、長尺体の被覆に切り込みを入れる切刃９とを備えた長尺体の被覆剥ぎ取り治具１において、切刃が設けられた挟持板の外面に、切刃の長尺体に向けた突出長さを調整可能な突出調整部１１を設け、突出調整部に、長尺体の被覆に対する切刃の切り込み方向を、長尺体の長さ方向と長尺体の周方向とに調整可能な方向調整部１３を設け、さらに一対の挟持板に、長尺体の外周と対向する対向面が円弧状に形成され、少なくともいずれか一方に切刃が設けられた一対の包囲部１５と、一対の包囲部を長尺体の外周に押圧させ、切刃を長尺体の被覆に切り込ませ、長尺体に対して一対の挟持板を移動させる押圧操作部１７とを設けた。【選択図】図２
0003229345.tif 000002
【実用新案登録請求の範囲】
【請求項１】
被覆を有する長尺体の外周に対向して配置される一対の挟持板と、
前記一対の挟持板のうち少なくとも一方に設けられ、前記長尺体の外周と対向する対向面から前記長尺体に向けて突出され、前記一対の挟持板の移動により、前記長尺体の被覆に切り込みを入れる切刃と、
を備え、
前記一対の挟持板のうち前記切刃が設けられた挟持板の外面には、前記切刃の前記長尺体に向けた突出長さを調整可能な突出調整部が設けられ、
前記突出調整部には、前記長尺体の被覆に対する前記切刃の切り込み方向を、前記長尺体の長さ方向と前記長尺体の周方向とに調整可能な方向調整部が設けられ、
前記一対の挟持板には、前記長尺体の外周と対向する対向面が円弧状に形成され、少なくともいずれか一方に前記切刃が設けられた一対の包囲部と、前記一対の包囲部を前記長尺体の外周に押圧させ、前記切刃を前記長尺体の被覆に切り込ませ、前記長尺体に対して前記一対の挟持板を移動させる押圧操作部とが設けられている長尺体の被覆剥ぎ取り治具。
【請求項２】
前記押圧操作部は、前記一対の包囲部の両側にそれぞれ設けられている請求項１に記載の長尺体の被覆剥ぎ取り治具。
【請求項３】
前記一対の包囲部は、前記長尺体と対向する対向面の径が異なるように、前記一対の挟持板に対して、複数設けられている請求項１又は２に記載の長尺体の被覆剥ぎ取り治具。
【考案の詳細な説明】
【技術分野】
【０００１】
本考案は、長尺体の被覆剥ぎ取り治具に関する。
【背景技術】
【０００２】
従来、長尺体の被覆剥ぎ取り治具としては、被覆を有する長尺体としてのケーブルの外周に対向して配置される一対の挟持板としての上、下フレームを備えている。また、上、下フレームのうち少なくとも一方に設けられ、ケーブルの外周と対向する対向面からケーブルに向けて突出され、上、下フレームの移動により、ケーブルの被覆に切り込みを入れる切刃としての剥取刃及びピッチ調整刃を備えている（特許文献１参照）。
【０００３】
この長尺体の被覆剥ぎ取り治具では、上、下フレームが、取付ボルトによって、ケーブルの外径に応じて調節可能となっている。また、剥取刃は、ケーブルに対する剥取深さの調節が可能であり、ピッチ調整刃は、ケーブルに対する傾き角度と喰込み深さとが調整可能となっている。
【０００４】
このような長尺体の被覆剥ぎ取り治具では、上、下フレームを、ケーブルに対して回転させることにより、剥取刃とピッチ調整刃とによって、ケーブルの長さ方向の所定のピッチで、ケーブルの被覆を剥ぎ取ることができる。
【０００５】
しかしながら、上記特許文献１のような長尺体の被覆剥ぎ取り治具では、長尺体の長さ方向に対して、所定の長さの被覆を剥ぎ取るために、何周も一対の挟持板を回転させなければならず、作業性が低下していた。
【０００６】
一方、他の長尺体の被覆剥ぎ取り治具としては、カッター本体内に切刃が埋め込まれ、カッター本体に、縦切りガイドと、輪切りガイドとが設けられたものが知られている（特許文献２参照）。
【０００７】
この長尺体の被覆剥ぎ取り治具では、縦切りガイドに、長尺体としてのケーブルを合わせて、カッター本体をケーブルの長さ方向に移動させることにより、切刃によって、ケーブルの長さ方向に切り込みを入れることができる。また、輪切りガイドに、ケーブルを合わせて、カッター本体をケーブルの周方向に移動させることにより、切刃によって、ケーブルの周方向に切り込みを入れることができる。
【０００８】
このような長尺体の被覆剥ぎ取り治具では、カッター本体を、ケーブルに対して何周も回転させる必要がなく、カッター本体のケーブルの長さ方向の移動と周方向の１周の移動とによって、所定の長さの被覆を剥ぎ取ることができる。
【先行技術文献】
【特許文献】
【０００９】
【特許文献１】実開昭６１−３２０９号公報
【特許文献２】実開平１−１３４９１５号公報
【考案の概要】
【考案が解決しようとする課題】
【００１０】
しかしながら、上記特許文献２のような長尺体の被覆剥ぎ取り治具では、操作者の指などによって、カッター本体を、長尺体の外周に押圧しているだけであるので、長尺体に対する押圧力が安定しないことがあった。押圧力が安定していないと、長尺体の被覆に対して、切刃による切り込み深さが安定せず、長尺体の被覆の剥ぎ取りが困難となる可能性があった。
【００１１】
本考案は、このような従来技術が有する課題に鑑みてなされたものである。そして本考案の目的は、長尺体の被覆の剥ぎ取りを容易に行うことができる長尺体の被覆剥ぎ取り治具を提供することにある。
【課題を解決するための手段】
【００１２】
本実施形態に係る長尺体の被覆剥ぎ取り治具は、被覆を有する長尺体の外周に対向して配置される一対の挟持板と、前記一対の挟持板のうち少なくとも一方に設けられ、前記長尺体の外周と対向する対向面から前記長尺体に向けて突出され、前記一対の挟持板の移動により、前記長尺体の被覆に切り込みを入れる切刃と、を備え、前記一対の挟持板のうち前記切刃が設けられた挟持板の外面には、前記切刃の前記長尺体に向けた突出長さを調整可能な突出調整部が設けられ、前記突出調整部には、前記長尺体の被覆に対する前記切刃の切り込み方向を、前記長尺体の長さ方向と前記長尺体の周方向とに調整可能な方向調整部が設けられ、前記一対の挟持板には、前記長尺体の外周と対向する対向面が円弧状に形成され、少なくともいずれか一方に前記切刃が設けられた一対の包囲部と、前記一対の包囲部を前記長尺体の外周に押圧させ、前記切刃を前記長尺体の被覆に切り込ませ、前記長尺体に対して前記一対の挟持板を移動させる押圧操作部とが設けられている。
【００１３】
前記押圧操作部は、前記一対の包囲部の両側にそれぞれ設けられていることが好ましい。
【００１４】
前記一対の包囲部は、前記長尺体と対向する対向面の径が異なるように、前記一対の挟持板に対して、複数設けられていることが好ましい。
【考案の効果】
【００１５】
本考案によれば、長尺体の被覆の剥ぎ取りを容易に行うことができる長尺体の被覆剥ぎ取り治具を提供することができる。
【図面の簡単な説明】
【００１６】
【図１】本実施形態に係る長尺体の被覆剥ぎ取り治具の斜視図である。
【図２】本実施形態に係る長尺体の被覆剥ぎ取り治具の側面図である。
【図３】本実施形態に係る長尺体の被覆剥ぎ取り治具の上面図である。
【図４】本実施形態に係る長尺体の被覆剥ぎ取り治具をケーブルに配置したときの側面図である。
【図５】本実施形態に係る長尺体の被覆剥ぎ取り治具をケーブルに配置するときの断面図である。
【図６】本実施形態に係る長尺体の被覆剥ぎ取り治具をケーブルに配置したときの断面図である。
【図７】本実施形態に係る長尺体の被覆剥ぎ取り治具が適用されるケーブルの側面図である。
【図８】本実施形態に係る長尺体の被覆剥ぎ取り治具が適用されたケーブルの側面図である。
【考案を実施するための形態】
【００１７】
以下、図面を用いて本実施形態に係る長尺体の被覆剥ぎ取り治具について詳細に説明する。なお、図面の寸法比率は説明の都合上誇張されており、実際の比率と異なる場合がある。
【００１８】
本実施形態に係る長尺体の被覆剥ぎ取り治具１は、被覆としての外部半導電層３を有する長尺体としてのケーブル５の外周に対向して配置される一対の挟持板７，７を備えている。また、一対の挟持板７，７のうち少なくとも一方に設けられ、ケーブル５の外周と対向する対向面からケーブル５に向けて突出され、一対の挟持板７，７の移動により、ケーブル５の外部半導電層３に切り込みを入れる切刃９を備えている。
【００１９】
また、一対の挟持板７，７のうち切刃９が設けられた挟持板７の外面には、切刃９のケーブル５に向けた突出長さを調整可能な突出調整部１１が設けられている。さらに、突出調整部１１には、ケーブル５の外部半導電層３に対する切刃９の切り込み方向を、ケーブル５の長さ方向とケーブル５の周方向とに調整可能な方向調整部１３が設けられている。
【００２０】
そして、一対の挟持板７，７には、ケーブル５の外周と対向する対向面が円弧状に形成され、少なくともいずれか一方に切刃９が設けられた一対の包囲部１５，１５が設けられている。また、一対の挟持板７，７には、一対の包囲部１５，１５をケーブル５の外周に押圧させ、切刃９をケーブル５の外部半導電層３に切り込ませ、ケーブル５に対して一対の挟持板７，７を移動させる押圧操作部１７が設けられている。
【００２１】
また、押圧操作部１７は、一対の包囲部１５，１５の両側にそれぞれ設けられている。
【００２２】
さらに、一対の包囲部１５，１５は、ケーブル５と対向する対向面の径が異なるように、一対の挟持板７，７に対して、複数設けられている。
【００２３】
図４〜図８に示すように、ケーブル５は、中心から外径側に向けて、導体（不図示）、内部半導電層（不図示）、絶縁体層１９、外部半導電層３、遮蔽層を覆うテープ巻き２１、シース２３で形成された高圧電力ケーブルからなる。このケーブル５は、絶縁体層１９の外周を覆う外部半導電層３が、長尺体の被覆剥ぎ取り治具１によって剥がされる。
【００２４】
図１〜図８に示すように、長尺体の被覆剥ぎ取り治具１は、一対の挟持板７，７と、切刃９とを備えている。一対の挟持板７，７は、長方形状の板状に形成され、厚さ方向に対向して配置されている。この一対の挟持板７，７は、長さ方向の一端側が連結部２５を介して一体に連結され、長さ方向の他端側が厚さ方向に離間するように開放部２７となっている。このような一対の挟持板７，７には、一対の包囲部１５，１５と、押圧操作部１７とが設けられている。
【００２５】
一対の包囲部１５，１５は、一対の挟持板７，７にそれぞれ設けられている。この一対の包囲部１５，１５は、一対の挟持板７，７に対して、ケーブル５と対向する対向面が、ケーブル５の外周形状に合わせて、半円の円弧状に形成されている。このような一対の包囲部１５，１５のケーブル５との対向面には、座２９，２９がそれぞれ設けられている。
【００２６】
座２９，２９は、一対の包囲部１５，１５のケーブル５との対向面からケーブル５側に向けて突出されている。この座２９，２９は、ケーブル５の外部半導電層３の外周形状に合わせて、半円の円弧状に形成されている。このような座２９，２９は、一対の挟持板７，７が互いに近接する方向に移動されたとき、ケーブル５の外部半導電層３の外周に当接される。
【００２７】
この座２９，２９の一対の包囲部１５，１５からケーブル５に向けた突出長さは、ケーブル５の外部半導電層３に当接された状態で、テープ巻き２１に結束されたバインド線３１が、一対の包囲部１５，１５の内面と干渉しない長さに設定されている。このため、一対の挟持板７，７を互いに近接する方向に移動させたときに、一対の包囲部１５，１５の内面がバインド線３１と干渉することがなく、座２９，２９を外部半導電層３に安定して当接させることができる。
【００２８】
このような一対の包囲部１５，１５のうち一方の包囲部１５（ここでは上側の包囲部１５）の外面には、切刃９を取り付けるための取付部３３が設けられている。この取付部３３の中央部には、切刃９が挿通される貫通孔が設けられている。また、座２９には、取付部３３の貫通孔と連通され、切刃９が挿通される孔が設けられている。
【００２９】
このような一対の包囲部１５，１５は、一対の挟持板７，７に対して、ケーブル５と対向する対向面で形成される径が異なるように、挟持板７の長さ方向に沿って、複数組（ここでは３組）設けられている。このように径の異なる一対の包囲部１５，１５を複数組設けることにより、様々な外径サイズを有するケーブル５に対して、１つの長尺体の被覆剥ぎ取り治具１で対応することができる。このような一対の包囲部１５，１５は、押圧操作部１７によって、一対の挟持板７，７が互いに近接する方向に移動されることにより、座２９，２９がケーブル５の外部半導電層３に当接される。
【００３０】
押圧操作部１７は、一対の包囲部１５，１５の両側に位置するように、一対の挟持板７，７の連結部２５側と開放部２７側とにそれぞれ位置する平板状の部分となっている。この押圧操作部１７，１７は、例えば、操作者などが把持することにより、一対の挟持板７，７を互いに近接する方向に移動させる。この一対の挟持板７，７の互いに近接する方向への移動により、一対の包囲部１５，１５の座２９，２９が、ケーブル５の外部半導電層３の外周面に当接し、外部半導電層３を挟み込むように押圧する。
【００３１】
このように一対の包囲部１５，１５でケーブル５を挟み込むように押圧することにより、ケーブル５に対する押圧力が逃げることがなく、ケーブル５に対して安定した押圧力を得ることができる。また、押圧操作部１７を、一対の包囲部１５，１５に対して、挟持板７の長さ方向の両側に設けることにより、一対の包囲部１５，１５のケーブル５に対する押圧力を安定化することができる。
【００３２】
この押圧操作部１７は、一対の包囲部１５，１５がケーブル５を押圧した状態、すなわち押圧操作部１７，１７を把持した状態で、ケーブル５に対して、一対の挟持板７，７を移動させる。例えば、一対の挟持板７，７を、ケーブル５の長さ方向に移動させる場合には、押圧操作部１７，１７を把持した状態で、押圧操作部１７，１７を、ケーブル５の長さ方向に沿って移動させる。一方、一対の挟持板７，７を、ケーブル５の周方向に移動させる場合には、押圧操作部１７，１７を把持した状態で、押圧操作部１７，１７を、ケーブル５の周方向に沿って回転させる。
【００３３】
このように押圧操作部１７は、ケーブル５に対して、一対の包囲部１５，１５で押圧力を付与しつつ、一対の挟持板７，７を移動させる。このような押圧操作部１７により、一対の挟持板７，７が移動されるケーブル５の外部半導電層３には、切刃９によって、切り込みが施される。
【００３４】
切刃９は、一対の包囲部１５，１５のうち一方の包囲部１５（ここでは上側の包囲部１５）に設けられている。この切刃９は、外部半導電層３に切り込みを入れる先端が、座２９の内面からケーブル５側に向けて突出されている。この切刃９の先端の突出長さは、外部半導電層３に差し込んだときに、ケーブル５の絶縁体層１９に達しない長さに設定されている。このような切刃９は、一対の挟持板７，７の移動により、外部半導電層３に切り込みを施す。この切刃９の突出長さは、突出調整部１１によって調整され、切刃９の先端の切っ先の向きは、方向調整部１３によって調整される。
【００３５】
突出調整部１１は、円筒状に形成され、包囲部１５の外面に形成された取付部３３に回転可能に組み付けられる。この突出調整部１１の内部の中央部には、切刃９の先端が外面から露出するように、切刃９が一体回転可能に固定される。このような突出調整部１１は、外面からの切刃９の先端の突出長さを調整することにより、外部半導電層３に対する切刃９の切り込み深さを調整することができる。
【００３６】
方向調整部１３は、突出調整部１１の切刃９の先端が露出する外面と反対側の外面に、突出調整部１１と一体に長方形状に形成されている。この方向調整部１３は、長手方向が、切刃９の先端の切っ先の方向と同一方向に設定されている。このような方向調整部１３は、切刃９の切っ先が、ケーブル５の長さ方向と、ケーブル５の周方向（幅方向）とに向くように調整することができる。
【００３７】
詳細には、方向調整部１３の長手方向を、ケーブル５の長さ方向と平行に配置することにより、突出調整部１１が回転され、切刃９の切っ先が、ケーブル５の長さ方向に向く。この状態で、一対の挟持板７，７を、ケーブル５の長さ方向に沿って移動させることにより、切刃９によって、外部半導電層３に長さ方向の切れ目３５を入れることができる。
【００３８】
一方、方向調整部１３の長手方向を、ケーブル５の長さ方向と直交する方向に配置することにより、突出調整部１１が回転され、切刃９の切っ先が、ケーブル５の周方向（幅方向）に向く。この状態で、一対の挟持板７，７を、ケーブル５の周方向に沿って回転させることにより、切刃９によって、外部半導電層３に周方向の切れ目３７を入れることができる。
【００３９】
このような長尺体の被覆剥ぎ取り治具１によるケーブル５の外部半導電層３の剥ぎ取りは、まず、突出調整部１１において、切刃９の先端の突出長さを調整する。次に、突出調整部１１を、ケーブル５が配置される包囲部１５の取付部３３に組み付ける。次に、開放部２７を開き、一対の挟持板７，７の間にケーブル５を挿入し、ケーブル５のサイズに合った一対の包囲部１５，１５にケーブル５を配置する。
【００４０】
次に、方向調整部１３の長手方向を、ケーブル５の長さ方向と平行に配置し、切刃９の切っ先を、ケーブル５の長さ方向に向ける。次に、押圧操作部１７，１７を把持して、一対の包囲部１５，１５の座２９，２９を外部半導電層３に当接させ、切刃９を外部半導電層３に差し込む。次に、押圧操作部１７，１７を介して一対の挟持板７，７を、ケーブル５の長さ方向に沿って移動させ、切刃９によって、外部半導電層３に長さ方向の切れ目３５を入れる。
【００４１】
次に、方向調整部１３の長手方向を、ケーブル５の長さ方向と直交する方向に配置し、切刃９の切っ先を、ケーブル５の周方向（幅方向）に向ける。次に、押圧操作部１７，１７を介して一対の挟持板７，７を、ケーブル５の周方向に沿って回転させ、切刃９によって、外部半導電層３に周方向の切れ目３７を入れる。そして、手やラジオペンチなどによって、外部半導電層３を剥ぎ取る。
【００４２】
なお、外部半導電層３に、初めに、長さ方向の切れ目３５を入れ、次に、周方向の切れ目３７を入れているが、初めに、周方向の切れ目３７を入れ、次に、長さ方向の切れ目３５を入れてもよい。
【００４３】
このような長尺体の被覆剥ぎ取り治具１では、一対の挟持板７，７に、ケーブル５の外周と対向する対向面が円弧状に形成され、少なくともいずれか一方に切刃９が設けられた一対の包囲部１５，１５が設けられている。また、一対の挟持板７，７には、一対の包囲部１５，１５をケーブル５の外周に押圧させ、切刃９をケーブル５の外部半導電層３に切り込ませ、ケーブル５に対して一対の挟持板７，７を移動させる押圧操作部１７が設けられている。
【００４４】
このため、押圧操作部１７によって、一対の包囲部１５，１５がケーブル５の外周を押圧するので、ケーブル５に対する押圧力を安定化することができ、切刃９によるケーブル５の外部半導電層３への切り込み深さを均一にすることができる。
【００４５】
従って、このような長尺体の被覆剥ぎ取り治具１では、ケーブル５の外部半導電層３の剥ぎ取りを容易に行うことができる。
【００４６】
また、押圧操作部１７は、一対の包囲部１５，１５の両側にそれぞれ設けられている。このため、一対の包囲部１５，１５によるケーブル５の押圧をさらに安定化することができる。
【００４７】
さらに、一対の包囲部１５，１５は、ケーブル５と対向する対向面の径が異なるように、一対の挟持板７，７に対して、複数設けられている。このため、様々な外径サイズを有するケーブル５に対して、１つの長尺体の被覆剥ぎ取り治具１で対応することができる。
【００４８】
以上、本実施形態を説明したが、本実施形態はこれらに限定されるものではなく、本実施形態の要旨の範囲内で種々の変形が可能である。
【００４９】
例えば、本実施形態においては、一対の包囲部が、３組設けられているが、これに限らず、一対の包囲部を２組以下、或いは４組以上設けてもよい。
【００５０】
また、切刃は、一方の挟持板のみに設けられているが、これに限らず、他方の挟持板にも、切刃を設けてもよい。
【符号の説明】
【００５１】
１  長尺体の被覆剥ぎ取り治具
３  外部半導電層（被覆）
５  ケーブル（長尺体）
７  挟持板
９  切刃
１１  突出調整部
１３  方向調整部
１５  包囲部
１７  押圧操作部
【図１】
0003229345.tif 000003
【図２】
0003229345.tif 000004
【図３】
0003229345.tif 000005
【図４】
0003229345.tif 000006
【図５】
0003229345.tif 000007
【図６】
0003229345.tif 000008
【図７】
0003229345.tif 000009
【図８】
0003229345.tif 000010